(57)【特許請求の範囲】
【請求項１】
加熱用長尺体を配設するための溝部が形成された板状基材が設けられ、前記加熱用長尺体が前記板状基材に配設されるように構成されている床暖房パネルであって、
平行またはほぼ平行な複数の直線溝部が形成されかつそれ自体が蓄熱体にて構成された直線基材部分と、前記複数の直線溝部の一端部でそれら複数の直線溝部にわたって前記加熱用長尺体を配設するための湾曲溝部が形成されかつそれ自体が蓄熱体にて構成された湾曲基材部分とが各別に形成され、
前記板状基材は、前記直線溝部に沿う方向において、前記直線基材部分を複数並設し、その両端部に前記湾曲基材部分を配設する状態で、前記直線基材部分と前記湾曲基材部分とを並べて構成され、
前記加熱用長尺体が、前記直線溝部および前記湾曲溝部にわたって配設され、
前記板状基材が、蓄熱体が充填された下方側蓄熱用容器と蓄熱体が充填された上方側蓄熱用容器とに分離され、前記下方側蓄熱用容器に溝用凹部が形成され、矩形状の前記上方側蓄熱用容器が複数設けられ、
前記加熱用長尺体の熱を前記板状基材の面方向に伝熱させる伝熱体が、それに形成した凹入部が前記下方側蓄熱用容器の前記溝用凹部に嵌まり込む状態で装着され、前記伝熱体の平板部に前記上方側蓄熱用容器が配設されることにより、前記伝熱体が、前記下方側蓄熱用容器と前記上方側蓄熱用容器とにより挟み込まれる状態で、前記板状基材の上下方向の中間部に配設されている床暖房パネル。
【請求項２】
前記直線基材部分および前記湾曲基材部分が、その全体または大部分を前記蓄熱体にて構成されている請求項１に記載の床暖房パネル。
【発明の詳細な説明】
【０００１】
【発明の属する技術分野】
本発明は、加熱用長尺体を配設するための溝部が形成された板状基材が設けられ、前記加熱用長尺体が前記板状基材に配設されるように構成されている床暖房パネルに関する。
【０００２】
【従来の技術】
上記のような床暖房パネルは、暖房対象の床に板状基材を敷設して、熱媒体流通管や電気ヒータなどの加熱用長尺体を板状基材の溝部に配設して床を暖房するものである。
そして、この種の床暖房パネルでは、例えば、特開２０００−２９１９６５号公報に示されているように、板状基材に蓄熱材の小塊を分散含有させることにより、加熱用長尺体にて与えられる熱量を板状基材に蓄熱可能とし、加熱用長尺体による熱量に加えて、板状基材に蓄熱された熱量にて効率よく暖房する蓄熱可能な床暖房パネルがある。
【０００３】
【発明が解決しようとする課題】
上記従来の蓄熱可能な床暖房パネルにおいて、下記の３つの点が求められる。一つ目は、加熱用長尺体を床暖房パネルに配設するために、板状基材における溝部の構成の容易化を図ることであり、二つ目は、設置箇所によって暖房対象の床面積が異なることから、暖房対象の床面積の変化に対応することであり、三つ目は、暖房対象の床に敷設されることから、とくに、上面からの荷重に対する強度の補強である。
【０００４】
例えば、暖房対象の床面積と同じまたはほぼ同じ大きさの板状基材を形成し、その板状基材に溝部を形成することにより、蓄熱可能な床暖房パネルを構成することが考えられる。
このような構成では、単に、板状基材に溝部を形成するだけで、床暖房パネルに加熱用長尺体を配設することが可能となるので、板状基材における溝部の構成の容易化を図ることが可能となる。
しかしながら、暖房対象の床面積の大きさによって板状基材の大きさを変える必要があり、製作コストがかかるという問題が生じ、また、大きさの大きな板状基材を全体にわたって強度を補強する必要があり、強度の補強を行いにくいものとなる。
【０００５】
本発明は、かかる点に着目してなされたものであり、その目的は、板状基材における溝部の構成の容易化を図り、暖房対象の床面積の変化に低コストで対応することが可能となり、強度の補強を容易に行える蓄熱可能な床暖房パネルを提供する点にある。
【０００６】
【課題を解決するための手段】
この目的を達成するために、請求項１に記載の発明によれば、加熱用長尺体を配設するための溝部が形成された板状基材が設けられ、前記加熱用長尺体が前記板状基材に配設されるように構成されている床暖房パネルにおいて、
平行またはほぼ平行な複数の直線溝部が形成されかつそれ自体が蓄熱体にて構成された直線基材部分と、前記複数の直線溝部の一端部でそれら複数の直線溝部にわたって前記加熱用長尺体を配設するための湾曲溝部が形成されかつそれ自体が蓄熱体にて構成された湾曲基材部分とが各別に形成され、前記板状基材は、前記直線溝部に沿う方向において、前記直線基材部分を複数並設し、その両端部に前記湾曲基材部分を配設する状態で、前記直線基材部分と前記湾曲基材部分とを並べて構成され、前記加熱用長尺体が、前記直線溝部および前記湾曲溝部にわたって配設され、前記板状基材が、蓄熱体が充填された下方側蓄熱用容器と蓄熱体が充填された上方側蓄熱用容器とに分離され、前記下方側蓄熱用容器に溝用凹部が形成され、矩形状の前記上方側蓄熱用容器が複数設けられ、前記加熱用長尺体の熱を前記板状基材の面方向に伝熱させる伝熱体が、それに形成した凹入部が前記下方側蓄熱用容器の前記溝用凹部に嵌まり込む状態で装着され、前記伝熱体の平板部に前記上方側蓄熱用容器が配設されることにより、前記伝熱体が、前記下方側蓄熱用容器と前記上方側蓄熱用容器とにより挟み込まれる状態で、前記板状基材の上下方向の中間部に配設されている。
【０００７】
すなわち、複数の直線溝部が形成されかつそれ自体が蓄熱体にて構成された直線基材部分を、直線溝部に沿う方向に複数並設し、湾曲溝部が形成されかつそれ自体が蓄熱体にて構成された湾曲基材部分を、直線溝部に沿う方向に並設された直線基材部分の両端部に配設し、直線基材部分の直線溝部および湾曲基材部分の湾曲溝部にわたって加熱用長尺体を配設することにより、直線基材部分および湾曲基材部分からなる板状基材に加熱用長尺体を配設することが可能で、かつ、直線基材部分における蓄熱体および湾曲基材部分における蓄熱体に蓄熱することが可能な床暖房パネルを構成することが可能となる。
【０００８】
そして、直線基材部分に直線溝部を形成し、湾曲基材部分に湾曲溝部を形成し、直線基材部分と湾曲基材部分とを直線溝部に沿う方向に並設するだけで、加熱用長尺体を床暖房パネルに配設することが可能となり、板状基材における溝部の構成の容易化を図ることが可能となる。
しかも、直線基材部分と湾曲基材部分との２種類の大きさのものを形成し、直線基材部分および湾曲基材部分の数を適宜変更することにより、暖房対象の床面積に応じた大きさの床暖房パネルを構成することが可能となるので、暖房対象の床面積の変化に低コストで対応することが可能となる。
さらに、直線基材部分および湾曲基材部分の強度を補強し、その直線基材部分の複数と湾曲基材部分の複数を直線溝部に沿う方向に並設することにより、床暖房パネル全体の強度を補強することが可能となり、床暖房パネルの強度の補強を容易に行うことが可能となる。
【０００９】
以上のことをまとめると、請求項１に記載の発明によれば、板状基材における溝部の構成の容易化を図り、暖房対象の床面積の変化に低コストで対応することが可能となり、強度の補強を容易に行える蓄熱可能な床暖房パネルを提供できるに至った。
【００１０】
請求項２に記載の発明によれば、前記直線基材部分および前記湾曲基材部分が、その全体または大部分を前記蓄熱体にて構成されている。
すなわち、直線基材部分および湾曲基材部分が、その全体または大部分を蓄熱体にて構成されているので、板状基材の全体または大部分を蓄熱体にて構成することが可能となり、板状基材に極力多量の熱量を蓄熱させることが可能となる。したがって、加熱用長尺体による熱量に加えて、板状基材に蓄熱された多量の熱量にて暖房することが可能となるので、板状基材に極力多量の熱量を蓄熱させ、その蓄熱された熱量にて効率よく暖房することが可能となる。
【００１５】
【発明の実施の形態】
本発明にかかる床暖房パネルの参考の実施形態について図面に基づいて説明する。
この床暖房パネルＰは、図１〜図４に示すように、加熱用長尺体としての熱媒体流通管１を配管するための溝部２が形成された板状基材３、その板状基材３の溝部２に配管された熱媒体流通管１などから構成されている。
【００１６】
前記板状基材３は、矩形板状の直線基材部分４の複数枚と、直線基材部分４の幅とほぼ同一の幅を備えた湾曲基材部分５の複数枚とから構成されている。
ちなみに、直線基材部分４の夫々は、厚みと幅がほぼ同一に構成され、湾曲基材部分５の夫々は、厚みと幅が直線基材部分４とほぼ同じに構成されている。
【００１７】
そして、直線基材部分４の幅方向（図１中Ｘ方向）を同一方向として、複数の直線基材部分４を互いに隣接するように配置し、直線基材部分４の長さ方向（図１中Ｙ方向）の両端部に湾曲基材部分５を配置して構成されている。
また、直線基材部分４の幅方向に隣接する直線基材部分４の相互間および湾曲基材部分５の相互間には、図３に示すように、アルミテープＢを貼り付けることにより小根太６が装着されている。
【００１８】
前記板状基材３における溝部２は、平行またはほぼ平行な複数の上方が開口した凹入状の直線溝部２ａと、複数の直線溝部２ａの一端部でそれらの直線溝部２ａにわたって熱媒体流通管１を配管するための上方が開口した凹入状の湾曲溝部２ｂとから構成され、直線基材部分４に設けられた直線溝部２ａと湾曲基材部分５に設けられた湾曲溝部２ｂとにわたって、熱媒体流通管１を蛇行状に配管するように構成されている。
ちなみに、直線基材部分４の幅方向に隣接する湾曲基材部分５の相互間に位置する小根太６には、直線基材部分４の幅方向に隣接する湾曲基材部分５にわたって熱媒体流通管１を配設するための溝部が形成されている。
【００１９】
前記熱媒体流通管１は、一般的に架橋ポリエチレン管やポリブテン樹脂管など可撓性のあるものが使用され、図１に示すように、接続部のない２本の熱媒体流通管１から構成されている。
つまり、配管の信頼性を高めるために、接続部のない管により熱媒体流通管１を構成し、２本の熱媒体流通管１を直線基材部分４の直線溝部２ａと湾曲基材部分５の湾曲溝部２ｂにわたって１本ずつ配管するように構成されている。
【００２０】
前記熱媒体流通管１の両端は、湾曲基材部分５に設けられている熱媒体供給部９に接続され、図外の熱源機から温水などの熱媒体が熱媒体供給部９の往き側を介して熱媒体流通管１のそれぞれに供給される。そして、熱媒体流通管１に供給された温水が、熱媒体流通管１を通流して熱媒体供給部９の戻り側を介して床暖房パネルＰから排出するように構成されている。
つまり、直線基材部分４と湾曲基材部分５にわたって配管されている熱媒体流通管１に、熱媒体供給部９を介して図外の熱源機からの温水を通流させることにより蓄熱体８に蓄熱させ、熱媒体流通管１による熱に加えて、蓄熱体８に蓄熱された熱にて暖房対象の床を暖房するように構成されている。
【００２１】
前記直線基材部分４は、その直線基材部分４の長さ方向に沿う平行またはほぼ平行な複数の直線溝部２ａが形成されかつそれ自体が蓄熱体８にて構成されている。
説明を加えると、直線基材部分４は、例えば、ポリプロピレンからなる直線蓄熱用容器７ａ内に直線蓄熱体８ａ（例えば、硫酸ナトリウム系）を充填させて構成され、直線蓄熱用容器７ａには、その直線基材部分４の長さ方向に沿う直線状の直線溝部２ａが形成され、直線基材部分４の全体または大部分が蓄熱体８にて構成されている。
【００２２】
前記湾曲基材部分５は、複数の直線溝部２ａの一端部でそれらの複数の直線溝部２ａにわたって熱媒体流通管１を配設するための湾曲溝部２ｂが形成されかつそれ自体が蓄熱体８にて構成されている。
説明を加えると、湾曲基材部分５は、直線基材部分４と同様に、例えば、ポリプロピレンからなる湾曲蓄熱用容器７ｂ内に湾曲蓄熱体８ｂ（例えば、硫酸ナトリウム系）を充填させて構成され、湾曲蓄熱用容器７ｂには、湾曲溝部２ｂが形成され、湾曲基材部分５の全体または大部分が蓄熱体８にて構成されている。
【００２３】
ちなみに、湾曲基材部分５における湾曲溝部２ｂは、同じ形状に形成されており、その湾曲溝部２ｂは、直線基材部分４の幅方向に隣接する直線基材部分４において、一方側に隣接する直線基材部分４における直線溝部２ａにわたって熱媒体流通管１を配設することも、他方側に隣接する直線基材部分４における直線溝部２ａにわたって熱媒体流通管１を配設することも、また、同一の直線基材部分４における直線溝部２ａにわたって熱媒体流通管１を配設することも可能な形状に構成されている。
【００２４】
このようにして、直線基材部分４と湾曲基材部分５とからなる板状基材３は、蓄熱用容器７（７ａ，７ｂ）内に蓄熱体８（８ａ，８ｂ）を充填させて構成され、蓄熱用容器７に板状基材３上面側を開口している上向き凹状の溝部２（２ａ，２ｂ）が形成され、板状基材３の全体または大部分を蓄熱体８にて構成させて、板状基材３に極力多量の熱量を蓄熱させるようにして、熱媒体流通管１による熱量に加えて、板状基材３に蓄熱された多量の熱量にて効率よく暖房対象の床を暖房するようにしている。
【００２５】
また、蓄熱用容器７の夫々には、上面からの荷重に対して補強する補強部としての凹凸状のリブ１０が形成され、床暖房パネルＰの設置作業時や床暖房パネルＰを設置した状態において、蓄熱用容器７が損傷することを防止している。
【００２６】
前記板状基材３の上面には、図２〜図４に示すように、熱媒体流通管１の熱を板状基材３の面方向に伝熱させる伝熱体１１が配設されている。
説明を加えると、伝熱体１１は、伝熱性のよいアルミや銅などの金属材料の板体にて構成され、直線溝部２ａおよび湾曲溝部２ｂの凹入状に沿う凹入部１１ａが形成され、伝熱体１１の凹入部１１ａの深さは、直線溝部２ａおよび湾曲溝部２ｂの深さよりも少し小さくなるように形成されている。
【００２７】
すなわち、伝熱体１１に形成される凹入部１１ａの深さを直線溝部２ａおよび湾曲溝部２ｂの深さよりも小さくなるように形成することにより、伝熱体１１と直線基材部分４の上面部および湾曲基材部分５の上面部とが接触し、熱媒体流通管１の熱を板状基材３の面方向に的確に伝熱させることができるように伝熱体１１を設けることができるようにしている。
【００２８】
そして、その伝熱体１１の凹入部１１ａが直線基材部分４における直線溝部２ａおよび湾曲基材部分５における湾曲溝部２ｂに嵌まり込む状態で伝熱体１１を装着し、伝熱体１１の凹入部１１ａに熱媒体流通管１を配設することにより、板状基材３の上面において、伝熱体１１にて熱媒体流通管１の熱が直線基材部分４の長さ方向および幅方向に伝熱させるようにしている。
前記直線基材部分４には、直線溝部２ａにおいて、直線基材部分４の長さ方向の全長にわたって伝熱体１１が設けられ、湾曲基材部分５には、湾曲溝部２ｂのうち、直線基材部分４の直線溝部２ａに連なる直線状の部分にのみ伝熱体１１が設けられている。
ちなみに、板状基材３の上面部が、伝熱体１１の装着箇所において、伝熱体１１を装着した状態で、板状基材３の上面部が均一またはほぼ均一な高さになるように、１段低くなるように形成されている。
【００２９】
また、図３は、熱媒体供給部９が配設された湾曲基材部分５の一部を切欠いたものを示しており、湾曲溝部２ｂのうち、直線基材部分４の直線溝部２ａに連なる直線状の部分のみ示している。
ちなみに、図３に示すものでは、伝熱体１１に複数の凹入部１１ａに形成して、複数の湾曲溝部２ｂに対してひとつの伝熱体１１を装着するようにしているが、図中点線で示すように、伝熱体１１を分離して構成し、伝熱体１１にひとつの凹入部１１ａを形成して、複数の湾曲溝部２ｂの夫々に伝熱体１１を装着するようにしてもよい。
【００３０】
この床暖房パネルＰでは、図３に示すように、熱媒体供給部９が配設されている湾曲基材部分５に、その湾曲蓄熱用容器７ｂにセンサ溝部１３が形成され、そのセンサ溝部１３に温度センサ１２が配設されて、その温度センサ１２により蓄熱体８に蓄熱されている熱量を検出するようにしている。
そして、例えば、図外の熱源機から温水を供給している状態で、温度センサ１２の検出温度が上限設定温度（例えば、６５℃）以上になると、図外の熱源機からの温水の供給を停止させ、図外の熱源機から温水の供給を停止している状態で、温度センサ１２の検出温度が下限設定温度（例えば、４５℃）以下になると、図外の熱源機からの温水の供給を開始させて、温度センサ１２の検出温度が設定温度（例えば、５５℃）になるように、図外の熱源機の運転を制御している。
このようにして、蓄熱体８に床暖房に必要な熱量が蓄熱されていないときだけ、図外の熱源機から温水を循環供給するようにしている。
【００３１】
この床暖房パネルＰは、直線基材部分４と湾曲基材部分５との２種類の大きさのものを形成し、直線基材部分４および湾曲基材部分５の数を適宜変更しながら、直線基材部分４の複数と湾曲基材部分５の複数を直線溝部２ａに沿う方向に並設することにより、暖房対象の床の面積に応じて床暖房パネルＰの大きさを変更することができ、暖房対象の床面積の変化に低コストで対応するように構成されている。
しかも、この床暖房パネルＰは、直線基材部分４に直線溝部２ａを形成し、湾曲基材部分５に湾曲溝部２ｂを形成し、直線基材部分４と湾曲基材部分５とを直線溝部に沿う方向に並設するだけで、熱媒体流通管１を床暖房パネルＰに配設することにより、板状基材３における溝部２の構成の容易化を図るように構成されている。
さらに、この床暖房パネルＰは、直線基材部分４および湾曲基材部分５の強度を補強し、その直線基材部分４の複数と湾曲基材部分５の複数を直線溝部２ａに沿う方向に並設することにより、床暖房パネルＰ全体の強度を補強するように構成されている。
このようにして、板状基材３における溝部２の構成の容易化を図り、暖房対象の床面積の変化に低コストで対応し、強度の補強を容易に行える蓄熱可能な床暖房パネルを構成するようにしている。
【００３２】
この床暖房パネルＰは、図１に示すように、暖房対象の部屋が８畳のときには、直線溝部２に沿う方向、すなわち直線基材部分４の長さ方向において、２枚の直線基材部分４を配置して、その両端部に湾曲基材部分５を配置したものをひとつの組として、直線基材部分４の幅方向において、２枚の直線基材部分４と２枚の湾曲基材部分５とからなる組を１１組配置させるようにしている。
【００３３】
ちなみに、例えば、直線基材部分４は、長さを約９００ｍｍ、幅を約２５８ｍｍとし、湾曲基材部分５は、長さを約６００ｍｍ、幅を約２５８ｍｍとし、小根太６は、幅を約４５ｍｍとし、暖房対象の部屋が８畳のときには、直線基材部分４の長さ方向に約３００ｍｍ、直線基材部分４の幅方向に約３０７５ｍｍの床暖房パネルＰを構成するようにしている。
そして、床暖房パネルＰの大きさとしては、例えば、暖房対象の床面積に対する床暖房パネルＰの敷設面積が６０〜７０％になるようにしている。
【００３４】
前記床暖房パネルＰの設置について説明を加えると、図４に示すように、暖房対象の床の床下地材１４上に断熱材１５および根太１６を敷設し、その上面に下地合板１７を敷設したのち、暖房対象の床面積に応じて直線基材部分４と湾曲基材部分５とを適宜組み合わせた床暖房パネルＰを敷設する。
そして、床暖房パネルＰの上面に、フローリングなどの床仕上げ材１８を敷設する。
【００３５】
ちなみに、例えば、断熱材１５および根太１６の厚みを４５ｍｍ、下地合板１７の厚みを１２ｍｍ、床暖房パネルＰの厚みを１５ｍｍ、床仕上げ材１８の厚みを１２ｍｍとしている。
【００３６】
〔参考の別実施形態〕
上記参考の実施形態では、板状基材３を、蓄熱用容器７内に蓄熱体８を充填させて構成し、蓄熱用容器７に溝部２を形成することにより、直線基材部分４と湾曲基材部分５とからなる板状基材３自体を蓄熱体８にて構成するようにしているが、例えば、図５に示すように、蓄熱体８（例えば、パラフィン系）自体に溝部２を形成し、その蓄熱体８をパッケージ材１９（例えば、アルミ基材）にて覆い、パッケージ材１９の端部を高周波や熱により溶着させて、板状基材３自体を蓄熱体８にて構成するようにしてもよい。
そして、図５に示すものでは、パッケージ材１９を、例えば、アルミ基材にて構成することにより、熱媒体流通管１の熱を板状基材３の面方向に伝熱させて、伝熱体１１を不要とし、板状基材３の溝部２に熱媒体流通管１を配管させた状態で、板状基材３の上面の全体にわたってアルミテープＢを貼ることにより、伝熱効果および均熱効果の促進を図るようにしている。
また、板状基材３と小根太６とは分離状態とし、現場施工により板状基材３の側方に小根太６を装着するようにしている。
【００３７】
ちなみに、板状基材３に対する温度センサ１２の取付については、蓄熱体８に予めセンサ挿入穴部２０を形成したり、蓄熱体８に温度センサ１２を挿入させることにより、板状基材３に蓄熱体８の蓄熱量を検出する温度センサ１２を取り付けるようにしている。
【００３８】
また、板状基材３に蓄熱材の小塊を分散含有させることにより、板状基材３自体を蓄熱体８にて構成することも可能であり、板状基材３自体を蓄熱体８にて構成する各種の構成が適応可能である。
【００３９】
〔本発明の実施形態〕
上記参考の実施形態では、伝熱体１１を板状基材３の上面に配設するようにしているが、伝熱体１１を、上下から板状基材３にて挟み込まれるように、板状基材３の上下方向の中間部に配設する。
説明を加えると、図６に示すように、板状基材３を蓄熱体８が充填された下方側蓄熱用容器３ａと蓄熱体８が充填された上方側蓄熱用容器３ｂとに分離可能とし、下方側蓄熱用容器３ａに溝用凹部２ｃが形成され、矩形状の上方側蓄熱用容器３ｂが複数設けられている。
そして、伝熱体１１の凹入部１１ａが下方側蓄熱用容器３ａの溝用凹部２ｃに嵌まり込むで伝熱体１１を装着し、伝熱体１１の平板部１１ｂに上方側蓄熱用容器３ｂを配設するようにしている。
このようにして、下方側蓄熱用容器３ａの溝用凹部２ｃと、伝熱体１１の平板部１１ｂに上方側蓄熱用容器３ｂを配設することにより、板状基材３に溝部２を形成し、伝熱体１１を、下方側蓄熱用容器３ａと上方側蓄熱用容器３ｂとにより挟み込まれる状態で、板状基材３の上下方向の中間部に配設するようにしている。
【００４０】
また、伝熱体１１を板状基材３の上面に配設するとともに、上下から板状基材３にて挟み込まれるように、板状基材３の上下方向の中間部にも伝熱体１１を配設するようにしてもよい。
【００４１】
上記参考の実施形態では、直線基材部分４および湾曲基材部分５の並設例として、直線溝部２ａに沿う方向において、直線基材部分４を２枚並設し、その両端部に湾曲基材部分５を配設するようにしているが、直線基材部分４の枚数および湾曲基材部分５の枚数については、３枚以上でもよく、複数であれば適宜変更することが可能であり、また、直線基材部分４自体および湾曲基材部分５自体の大きさについても、適宜変更が可能である。
【００４２】
上記参考の実施形態では、本発明にかかる床暖房パネルを、熱媒体流通管１を加熱用長尺体として、温水式床暖房パネルに適応した例を示したが、電気ヒータを加熱用長尺体として、電気式床暖房パネルに適応してもよい。
【図面の簡単な説明】
【図１】  参考の実施形態における床暖房パネルの平面図
【図２】  参考の実施形態における床暖房パネルの要部斜視図
【図３】  参考の実施形態における床暖房パネルの要部拡大図
【図４】  参考の実施形態における床暖房パネルの断面図
【図５】  参考の別実施形態における床暖房パネルの要部斜視図
【図６】  本発明の実施形態における床暖房パネルの断面図
【符号の説明】
１              加熱用長尺体
２              溝部
２ａ            直線溝部
２ｂ            湾曲溝部
２ｃ            溝用凹部
３              板状基材
３ａ            下方側蓄熱用容器
３ｂ            上方側蓄熱用容器
４              直線基材部分
５              湾曲基材部分
８              蓄熱体
１１            伝熱体
１１ａ          凹入部
１１ｂ          平板部
【図１】
0003810317.tif 000002
【図２】
0003810317.tif 000003
【図３】
0003810317.tif 000004
【図４】
0003810317.tif 000005
【図５】
0003810317.tif 000006
【図６】
0003810317.tif 000007